(57)【特許請求の範囲】
【請求項１】
音波を受けて振動する振動板と、
光源からの光を前記振動板に向かって出射する投光側光ガイドと、
前記振動板からの反射光を受けて受光素子に導く受光側光ガイドと、を有し、
前記受光素子から音声信号が出力される光マイクロホンであって、
並列的に配置された前記投光側光ガイドと前記受光側光ガイドからなる光ガイド対が２対、前記振動板を挟んで対称形に配置され、
前記２対の光ガイド対の前記受光素子の音声信号を合成して出力する光マイクロホン。
【請求項２】
１対の前記光ガイド対と他の１対の前記光ガイド対は個別のハウジングに組み込まれ、２つの前記ハウジングの一端が前記振動板の周縁部を挟んで互いに固着されている請求項１記載の光マイクロホン。
【請求項３】
２つの前記ハウジングの少なくとも片方は、音波導入口を有している請求項２記載の光マイクロホン。
【請求項４】
前記音波の導入口は、音波を通し外光を遮断するフィルタで塞がれている請求項３記載の光マイクロホン。
【請求項５】
前記光源は可視光以外の光を出射する発光素子であり、前記受光素子は前記光源から出射される光を検出する請求項１乃至４のいずれかに記載の光マイクロホン。
【請求項６】
前記投光側光ガイドと前記受光側光ガイドとの間には遮光部材が介在している請求項１乃至５のいずれかに記載の光マイクロホン。
【発明の詳細な説明】
【技術分野】
【０００１】
本発明は、音声出力信号の歪みを低減することができる光マイクロホンに関するものである。
【背景技術】
【０００２】
音波を受けて振動する振動板に光を照射し、振動板からの反射光を受光素子で受光することによって振動板の変位を検出し、この検出信号を音声信号として出力する光マイクロホンが知られている。特許文献１に記載されている光マイクロホンはその例である
【０００３】
特許文献１に記載されている光マイクロホンは、音波を受けて振動する振動板と、光源側からの光を振動板に向かって出射する投光側光ガイドと、振動板からの反射光を受けて受光素子に導く受光側光ガイドとを有する。この光マイクロホンの感度は、振動板で反射されて受光側光ガイドに入射することができる光の量によって決まる。そこで、上記光マイクロホンでは、投光側光ガイドと受光側光ガイドとの間に弾性部材を介在させて並列的に配置し、投光側光ガイドと受光側光ガイドから弾性部材に加える圧縮力を調整することによって感度を調整可能にしている。
【０００４】
特許文献１に記載されているような光マイクロホンによれば、投光側光ガイドの光出射面および受光側光ガイドの光入射面と、振動板との間隔が大きくなると、受光側光ガイドへの入射光量が多くなり感度は高くなる。しかし、上記間隔がある程度以上に大きくなると、光源から受光素子に至る光路が長くなり、感度は低下する。したがって、上記光マイクロホンの感度調整は、感度調整に適した上記間隔の範囲で行われる。
【０００５】
上記光マイクロホンによれば、音波を受けて振動板が振動すると、投光側光ガイドおよび受光側光ガイドと、振動板との上記間隔が変動する。したがって、投光側光ガイドおよび受光側光ガイドに近づく向きに振動する場合と、遠ざかる向きに振動する場合とでは音声出力レベルが異なることになる。すなわち、音声出力信号に歪が生じ、音声に忠実な音声出力信号を得ることができない。
【先行技術文献】
【特許文献】
【０００６】
【特許文献１】特開２０１５−１５６６１７号公報
【発明の概要】
【発明が解決しようとする課題】
【０００７】
本発明は、音声出力信号の歪みを低減することができる光マイクロホンを提供することを目的とする。
【課題を解決するための手段】
【０００８】
本発明は、
音波を受けて振動する振動板と、
光源からの光を前記振動板に向かって出射する投光側光ガイドと、
前記振動板からの反射光を受けて受光素子に導く受光側光ガイドと、を有し、
前記受光素子から音声信号が出力される光マイクロホンであって、
並列的に配置された前記投光側光ガイドと前記受光側光ガイドからなる光ガイド対が２対、前記振動板を挟んで対称形に配置され、
前記２対の光ガイド対の前記受光素子の音声信号を合成して出力することを最も主要な特徴とする。
【発明の効果】
【０００９】
振動板が音波を受け、一方の光ガイド対に対して振動板が遠ざかる向きに動くとき、他方の光ガイド対に対しては振動板が近づく向きに動く。したがって、一方の光ガイド対からの出力信号の低下が他方の光ガイド対からの出力信号の増大で補われ、音声出力信号の歪みの少ない光マイクロホンを得ることができる。
【図面の簡単な説明】
【００１０】
【図１】本発明に係る光マイクロホンの実施例を概略的に示す縦断面図である。
【図２】上記実施例の外観を示す斜視図である。
【発明を実施するための形態】
【００１１】
以下、本発明に係る光マイクロホンの実施例について図面を参照しながら説明する。
【実施例】
【００１２】
図１、図２において、光マイクロホン１は、メンブレンといわれる振動板２と、２対の光ガイド対１０、２０と、ハウジング１００、２００を有している。一方の光ガイド対１０はハウジング１００内に組み込まれ、他方の光ガイド対２０はハウジング２００内に組み込まれている。振動板２は薄膜状の素材からなる円形の部材で、周縁部が保持リング２２０の図１において下面に適宜の張力を付与して固着されている。
【００１３】
振動板２は保持リング２２０に保持された状態でハウジング１００の上端面に載せられている。保持リング２２０にはハウジング２００の下端が載せられ、保持リング２２０は上下のハウジング１００，２００によって挟み込まれ互いに固着されている。このようにして、２つのハウジング１００，２００の一端が、保持リング２２０の介在のもとに、振動板２の周縁部を挟んで互いに固着されている。振動板２は音波を受けると保持リング２２０の内周側において振動する。
【００１４】
ハウジング１００内には、ＬＥＤなどの発光素子からなる光源１２および受光素子１３が組み込まれている。さらに、投光側光ガイド１４と受光側光ガイド１５からなる光ガイド対１０も、ハウジング１００内に、互いに長さ方向に並列的に組み込まれている。投光側光ガイド１４は光源１２からの光を図１において上方に向かってガイドするように配置されている。投光側光ガイド１４にガイドされた光は、上端の出射面１４３から振動板２に向かって出射する。振動板２の下面は反射面になっている。
【００１５】
また、受光側光ガイド１５は、振動板２の反射面からの光を図１において下方に向かってガイドするように配置されている。したがって、振動板２の下面は、投光側光ガイド１４から出射された光を受光側光ガイド１５に向かって反射する。この反射光は受光側光ガイド１５の上端の入射面１５３から受光側光ガイド１５内に導かれる。そして、反射光は受光側光ガイド１５に沿って下方に向かってガイドされ、受光素子１３で受光される。
【００１６】
本実施例では、投光側光ガイド１４と受光側光ガイド１５は長さ方向に互いに平行かつ並列に配置されている。投光側光ガイド１４と受光側光ガイド１５との間には、遮光部材１６が介在している。
【００１７】
投光側光ガイド１４の先端部は、受光側光ガイド１５とは反対側に傾斜した切除面が形成されている。上記切除面が形成されていることにより、光の出射面４３が制限されている。投光側光ガイド１４の上記切除面には、反射膜のコーティングなどによって、光の反射面１４１が形成されている。
【００１８】
受光側光ガイド１５の先端部においても、投光側光ガイド１４とは反対側に傾斜した切除面が形成されている。上記切除面が形成されることにより、光の入射面１５３が制限されている。受光側光ガイド１５の上記切除面にも反射膜のコーティングなどによって光の反射面１５１が形成されている。投光側光ガイド１４と受光側光ガイド１５は、遮光部材１６を挟んで互いに背中合わせに配置されている。投光側光ガイド１４と受光側光ガイド１５の上記背中合わせ面にはそれぞれ光の反射膜１４２，１５２が形成されている。
【００１９】
このように、投光側光ガイド１４は、その出射面１４３が制限されている。投光側光ガイド１４には、傾斜した反射面１４１と反射膜１４２が形成されている。その結果、投光側光ガイド１４内をガイドされた光源１２からの光が出射面１４３から集中的に出射される。反射膜１４２が形成されることによっても、光源１２からの光が投光側光ガイド１４内を効率よくガイドされる。こうして、出射面１４３から光が集中的に出射される。
【００２０】
上記集中的な出射光は、振動板２で反射される。反射された光は、受光側光ガイド１５の入射面１５３から受光側光ガイド１５内に入射する。受光側光ガイド１５内に入射した光は、反射面１５１、反射膜１５２で反射される。その結果、受光側光ガイド１５内に入射した光は、受光素子１３の受光面に向かってガイドされ、受光素子１３によって効率的に受光される。このように、投光側光ガイド１４と受光側光ガイド１５は、光源１２から受光素子１３に至る光を効率よくガイドする。
【００２１】
図１に斜めの矢印線で示すように、投光側光ガイド１４の出射面１４３から出射される光の出射範囲は振動板２に向かって順次広がる。逆に、振動板２で反射され受光側光ガイド１５の入射面１５３に入射する光の入射範囲は入射面１５３に向かって順次狭まる。この実施形態において、上記出射範囲と入射範囲が重なる範囲が有感部３０となる。有感部とは、振動板２が音波を検出する領域である。従って、有感部３０が広ければマイクロホンの感度は高くなる。出射面１４３および入射面１５３と振動板２との間隔を狭くすると有感部３０が狭くなり、感度は低くなる。これは有感部の広さによって、受光部すなわち受光素子１３に到達する光の量が変化するためである。
【００２２】
図１、図２において、上側のハウジング２００内に組み込まれている光ガイド対２０も、前記光ガイド対１０と同様に構成されている。以下、光ガイド対２０について説明するが、光ガイド対１０と同様の構成であるため、概略的な説明に留める。
【００２３】
光ガイド対２０は、光源２２及び受光素子２３を有し、投光側光ガイド２４および受光側光ガイド２５、遮光部材２６を有している。これらの部材は、光ガイド対１０において対応している各部材と同様に構成されている。また、投光側光ガイド２４は、光ガイド対１０の投光側光ガイド１４と同様に、光の反射面２４１、光の出射面２４３、光の反射膜２４２を有している。受光側光ガイド２５は、光ガイド対１０の受光側光ガイド１５と同様に、光の入射面２５３、光の反射面２５１、光の反射膜２５２を有している。
【００２４】
投光側光ガイド２４と受光側光ガイド２５からなる光ガイド対２０も、ハウジング２００内に、互いに長さ方向に並列的に組み込まれている。投光側光ガイド２４は光源２２からの光を図１において下方に向かってガイドするように配置されている。投光側光ガイド２４にガイドされた光は、下端の出射面２４３から振動板２に向かって出射する。振動板２の上面も反射面になっている。
【００２５】
上記実施例に係る光マイクロホン１は、並列的に配置された投光側光ガイドと受光側光ガイドからなる２対の光ガイド対１０，２０が、振動板２を挟んで対称形に配置されている。一方の光ガイド対２０の前記出射面２４３および前記入射面２５３と、振動板２との間隔は、他方の光ガイド対１０の前記出射面１４３および前記入射面１５３と、振動板２との間隔と同じである。
【００２６】
上側のハウジング２００には窓孔状の複数の音波導入口２０１が設けられている。音波導入口２０１からハウジング２００に導入される音波は振動板２に至り、振動板２を振動させる。下側のハウジング１００の周囲は塞がれていて、ハウジング１００には音波導入口は設けられていない。したがって、図示の実施例に係る光マイクロホンは無指向性である。下側のハウジング１００にも音波導入口を設けて、無指向性とは異なる指向性の光マイクロホンとしてもよい。
【００２７】
２対の光ガイド対１０，２０の各受光素子１３，２３から出力される音声信号を合成して、光マイクロホン１の出力信号とする。これは、光マイクロホンを２つ用意して、各光マイクロホンの出力信号を合成するのと実質的に同じであるから、マイクロホンの出力信号レベルが高まり、感度が高くなる。加えて、音声出力信号の２次歪を低減することができる。その理由は以下の通りである。
【００２８】
一対の光ガイド対を有してなる特許文献１に記載されているような従来の光マイクロホンを想定すると、その感度は、光ガイドの出射面および入射面と振動板との間隔と、光源から受光素子に至る光路の長さに依存する。そのため、大きな音圧が加わって振動板が大きく変位する状況において、振動板が前方に向かって動くときと、後方に向かって動くときとでは、振動板により反射される光量が大きく異なる。その結果、受光素子で受光される光量が異なるため、音声出力信号に２次歪を生じる。
【００２９】
図示の実施例に係る光マイクロホン１によれば、２対の光ガイド対１０，２０の受光素子１３，２３の音波による信号の差分を音声出力信号とすることにより、２次歪が相殺され、２次歪を低減することができる。一方、受光素子１３，２３で検出される音波に応じた信号は相補的な関係にあるので、上記のように差分をとることにより出力信号レベルが高まり、感度が高くなる。
【００３０】
本発明のような光マイクロホンは、外光の影響を受けないように、図に示す音波の導入口２０１は、例えば、音波を通し外光を遮断するフィルタなどで塞ぐのが望ましい。フィルタとして、例えば金属蒸着フィルムを用いることができる。あるいは、微細な孔を無数に有するフィルム状の部材を用いてもよい。
【００３１】
あるいは、光源１２，２２を可視光以外の波長の光を出射する発光素子とし、受光素子１３，２３を、光源１２，２２から出射される光を検出することができる波長帯域の受光素子とするのも、外光の影響を受けないようにするのに有効である。
【００３２】
本発明のような光マイクロホンは、電界がかかっていても、磁界内であっても、電界や磁界に影響を受けることなく電気音響変換できるため、例えば、ＭＲＩ現象を利用した医療検査現場などでも精度の高い電気音響変換が可能である。
【符号の説明】
【００３３】
１    光マイクロホン
２    振動板
１０    光ガイド対
１２    光源
１３    受光素子
１４    投光側光ガイド
１５    受光側光ガイド
１６    遮光部材
２０    光ガイド対
１０    光ガイド対
２２    光源
２３    受光素子
２４    投光側光ガイド
２５    受光側光ガイド
２６    遮光部材
３０    有感部
４０    有感部
１００    ハウジング
２００    ハウジング
２０１    音波導入口
【図１】
0006550602.tif 000002
【図２】
0006550602.tif 000003